(57)【要約】【課題】針先の出ている釣り針だけでなく、オフセットフックおよびシンカーも係止できるフックキーパーを提供する。【解決手段】フックキーパー３は、魚釣り用リールに装着可能であり、係止部３１および保持部３２を備える。係止部３１は、係止部３１を貫通する穴３１１と、穴３１１から係止部３１の外側面まで貫通し、かつ、穴３１１の中心軸方向の係止部３１の一方の端面から他方の端面に到るスリット３１２と、が形成され、保持部３２は、係止部３１を保持し、保持部３２を魚釣り用リールに装着可能な接合部３２１を有する。【選択図】図３
2020010658.tif 000002
【特許請求の範囲】
【請求項１】
魚釣り用リールに装着可能であり、係止部および保持部を備えるフックキーパーであって、
前記係止部は、
前記係止部を貫通する穴と、前記穴から前記係止部の外側面まで貫通し、かつ、前記穴の中心軸方向の前記係止部の一方の端面から他方の端面に到るスリットと、が形成され、
前記保持部は、
前記係止部を保持し、前記保持部を魚釣り用リールに装着可能な接合部を有する、フックキーパー。
【請求項２】
前記穴の中心軸方向の前記係止部の前記一方の端面の前記スリットの中心と前記他方の端面の前記スリットの中心とを結ぶ線が、前記穴の中心軸に対してねじれの位置にある、請求項１に記載のフックキーパー。
【請求項３】
前記保持部は、前記係止部を、前記保持部に対して、前記穴の中心軸と交わる軸の周りに回転可能に支持する、請求項１または２に記載のフックキーパー。
【請求項４】
魚釣り用リールであって、
リール本体と、
前記リール本体に支持され、釣り糸が巻回されるスプールと、
前記リール本体に回転可能に支持され、前記スプールに釣り糸を巻回する巻回機構を構成する駆動軸と、
前記駆動軸の一端に装着され、前記駆動軸を回転させるハンドルと、
請求項１から３のいずれか１項に記載のフックキーパーと、
備え、
前記フックキーパーは、前記保持部が有する前記接合部で、前記リール本体または前記ハンドルに装着される、魚釣り用リール。
【請求項５】
前記ハンドルは、
前記駆動軸の一端に装着される装着部と、
前記装着部から、前記駆動軸に交わる方向に延びるハンドルアームと、
前記ハンドルアームの先端部から前記駆動軸に平行な方向に延びる把手軸と、
前記把手軸に回転可能に装着されるハンドル把手と、
を有し、
前記フックキーパーは、前記保持部が有する前記接合部で、前記ハンドル把手に装着される、
請求項４に記載の魚釣り用リール。
【請求項６】
前記魚釣り用リールは、スピニングリールであって、
前記リール本体は、前記駆動軸の他端を支持する第１支持部を有し、
前記フックキーパーは、前記保持部が有する前記接合部で、前記リール本体に装着されて、前記第１支持部の少なくとも一部を覆う、請求項４に記載の魚釣り用リール。
【請求項７】
前記魚釣り用リールは、スピニングリールであって、
前記リール本体は、
前記駆動軸の他端を支持する第１支持部と、
前記第１支持部の少なくとも一部を覆い、前記第１支持部から離れる方向に延びる延伸部を有するリールスタンドと、
を有し、
前記フックキーパーは、前記保持部が有する前記接合部で、前記延伸部の先端部に装着される、請求項４に記載の魚釣り用リール。
【請求項８】
前記魚釣り用リールは、両軸受けリールであって、
前記リール本体は、前記駆動軸の一端を支持する第２支持部を有し、
前記フックキーパーは、前記保持部が有する前記接合部で、前記リール本体に装着されて、前記第２支持部の少なくとも一部を覆う、請求項４に記載の魚釣り用リール。
【請求項９】
前記魚釣り用リールは、両軸受けリールであって、
前記ハンドルは、
前記駆動軸の一端に装着される装着部と、
前記装着部から、前記駆動軸に交わる方向に延びるハンドルアームと、
前記ハンドルアームの先端部から前記駆動軸に平行な方向に延びる把手軸と、
前記把手軸に回転可能に装着されるハンドル把手と、
を有し、
前記フックキーパーは、前記保持部が有する前記接合部で、前記装着部に装着される、請求項４に記載の魚釣り用リール。
【発明の詳細な説明】
【技術分野】
【０００１】
本発明は、フックキーパーおよび魚釣り用リールに関する。
【背景技術】
【０００２】
魚釣りにおいて、ポイントを移動したり釣り竿を替えたりするときに、魚釣り用リールを用いた釣り竿に仕掛けを付けたまま、持ち歩いたり置いたりする場合がある。このような場合、竿先から先の釣り糸の部分が固定されていないと自由に動いてしまい、釣り針が衣服に引っかかったり、仕掛けによってリール本体が損傷したり、釣り糸が絡んだりすることがある。これを防止するため、魚釣り用リールに装着され、釣り針を係止することができるフックキーパーがある。例えば、特許文献１に記載のスピニングリールは、リール本体のハンドルの駆動軸上のハンドルが装着されない側に、釣針係止部を有するフックキーパーが外方へ向けて設けられている。
【先行技術文献】
【特許文献】
【０００３】
【特許文献１】特開２０１０−１７２２９８号公報
【発明の概要】
【発明が解決しようとする課題】
【０００４】
特許文献１に記載のフックキーパーは、釣針係止部が環状になっているため、針先の出ないオフセットフックの場合は係止できない。また、ダウンショットリグの場合は、釣り針だけを固定しても、その先のシンカーは固定されないので、シンカーによってリール本体が損傷したり、釣り糸が絡んだりする問題は解消されない。
【０００５】
本発明は、上述の問題を解決するためになされたものであって、魚釣り用リールにおいて、針先の出ている釣り針だけでなく、オフセットフックおよびシンカーも係止できるフックキーパーを提供することを目的とする。
【課題を解決するための手段】
【０００６】
本発明の第１の観点に係るフックキーパーは、魚釣り用リールに装着可能であり、係止部および保持部を備えるフックキーパーであって、係止部は、係止部を貫通する穴と、穴から係止部の外側面まで貫通し、かつ、穴の中心軸方向の係止部の一方の端面から他方の端面に到るスリットと、が形成され、保持部は、係止部を保持し、保持部を魚釣り用リールに装着可能な接合部を有する。
【０００７】
好ましくは、穴の中心軸方向の係止部の一方の端面のスリットの中心と他方の端面のスリットの中心とを結ぶ線が、穴の中心軸に対してねじれの位置にある。
【０００８】
さらに好ましくは、保持部は、係止部を、保持部に対して、穴の中心軸と交わる軸の周りに回転可能に支持する。
【０００９】
本発明の第２の観点に係る魚釣り用リールは、リール本体と、リール本体に支持され、釣り糸が巻回されるスプールと、リール本体に回転可能に支持され、スプールに釣り糸を巻回する巻回機構を構成する駆動軸と、駆動軸の一端に装着され、駆動軸を回転させるハンドルと、第１の観点に係るフックキーパーと、備え、フックキーパーは、保持部が有する接合部で、リール本体またはハンドルに装着される。
【００１０】
好ましくは、ハンドルは、駆動軸の一端に装着される装着部と、装着部から、駆動軸に交わる方向に延びるハンドルアームと、ハンドルアームの先端部から駆動軸に平行な方向に延びる把手軸と、把手軸に回転可能に装着されるハンドル把手と、を有し、フックキーパーは、保持部が有する接合部で、ハンドル把手に装着される。
【００１１】
好ましくは、魚釣り用リールは、スピニングリールであって、リール本体は、駆動軸の他端を支持する第１支持部を有し、フックキーパーは、保持部が有する接合部で、リール本体に装着されて、第１支持部の少なくとも一部を覆う。
【００１２】
あるいは、魚釣り用リールは、スピニングリールであって、リール本体は、駆動軸の他端を支持する第１支持部と、第１支持部の少なくとも一部を覆い、第１支持部から離れる方向に延びる延伸部を有するリールスタンドと、を有し、フックキーパーは、保持部が有する接合部で、延伸部の先端部に装着されてもよい。
【００１３】
好ましくは、魚釣り用リールは、両軸受けリールであって、リール本体は、駆動軸の一端を支持する第２支持部を有し、フックキーパーは、保持部が有する接合部で、リール本体に装着されて、第２支持部の少なくとも一部を覆う。
【００１４】
あるいは、魚釣り用リールは、両軸受けリールであって、ハンドルは、駆動軸の一端に装着される装着部と、装着部から、駆動軸に交わる方向に延びるハンドルアームと、ハンドルアームの先端部から駆動軸に平行な方向に延びる把手軸と、把手軸に回転可能に装着されるハンドル把手と、を有し、フックキーパーは、保持部が有する接合部で、装着部に装着されてもよい。
【発明の効果】
【００１５】
本発明によれば、針先の出ている釣り針だけでなく、オフセットフックおよびシンカーも係止できる。
【図面の簡単な説明】
【００１６】
【図１】本発明の実施の形態１に係る魚釣用リールの側面図
【図２】実施の形態１に係る魚釣用リールの背面図
【図３】実施の形態１に係るフックキーパーの斜視図
【図４】実施の形態１に係るフックキーパーの正面図
【図５】実施の形態１に係るフックキーパーにオフセットフックを係止した例を示す魚釣用リールの斜視図
【図６】実施の形態１に係るフックキーパーにシンカーを係止した例を示す魚釣用リールの斜視図
【図７】実施の形態１に係る回転可能なフックキーパーを装着した魚釣用リールの斜視図
【図８】実施の形態１に係るフックキーパーをリールスタンドに装着した魚釣用リールの斜視図
【図９】実施の形態１に係るリールスタンドに装着したフックキーパーにシンカーを係止した例を示す魚釣用リールの斜視図
【図１０】本発明の実施の形態２に係るフックキーパーの斜視図
【図１１】実施の形態２に係る魚釣用リールの斜視図
【図１２】実施の形態２に係るフックキーパーにオフセットフックを係止した例を示す魚釣用リールの斜視図
【図１３】本発明の実施の形態３に係るフックキーパーの斜視図
【図１４】実施の形態３に係る魚釣用リールの斜視図
【図１５】実施の形態３に係るフックキーパーにシンカーを係止した例を示す魚釣用リールの斜視図
【発明を実施するための形態】
【００１７】
以下、本発明の実施の形態に係るフックキーパーおよび魚釣り用リールについて図面を参照して詳細に説明する。なお図中、同一または同等の部分には同一の符号を付す。
【００１８】
実施の形態１．
図１は、本発明の実施の形態１に係る魚釣用リールの側面図である。実施の形態１の魚釣用リールはスピニングリール１００である。スピニングリール１００は、図１に示すように釣り竿Ｒに取り付けられる。スピニングリール１００は、釣り竿Ｒの長手方向（図１の左右方向）に沿った軸回りに釣り糸を巻き取るリールであって、リール本体１１０と、ハンドル１２０と、スプール１３０と、ロータ１４０と、ベールアーム１５０と、を備える。
【００１９】
リール本体１１０は、ハンドル１２０の回転を受けて、ロータ１４０をリール本体１１０に対して回転させながらスプール１３０をリール本体１１０に対して前後に移動させる巻回機構を有する。スプール１３０には、釣り糸が巻かれる。
【００２０】
ハンドル１２０は、リール本体１１０に回転可能に支持される駆動軸１６０の一端に装着される。駆動軸１６０は、巻回機構を構成する部材である。ハンドル１２０は、駆動軸１６０の一端に装着される装着部１２１と、装着部１２１から駆動軸１６０に交わる方向に延びるハンドルアーム１２２と、ハンドルアーム１２２の先端部から駆動軸１６０に平行な方向に延びる把手軸に回転可能に装着されるハンドル把手１２３と、を有する。
【００２１】
ベールアーム１５０は、ロータ１４０に取り付けられ、釣り糸を案内するベール１５１を支持する。ベールアーム１５０は、ロータ１４０とともにリール本体１１０に対して回転する。
【００２２】
図２は、実施の形態１に係る魚釣用リールの背面図である。リール本体１１０の左右両側には、ハンドル１２０が着脱可能に装着される駆動軸１６０の一端を支持する支持部１１１ａと他端を支持する支持部１１１ｂとが形成されている。ハンドル１２０は、ユーザの好みにより駆動軸１６０の左右のいずれかの端に装着可能であり、図２では支持部１１１ａの側に装着されている。スピニングリール１００は、ハンドル１２０が装着されていない支持部１１１ｂに、フックキーパー３が装着されている。図２の例では、支持部１１１ｂが、本発明における第１支持部である。ハンドル１２０が支持部１１１ｂの側に装着されている場合には、支持部１１１ａが、本発明における第１支持部である。
【００２３】
図３は、実施の形態１に係るフックキーパーの斜視図である。フックキーパー３は、穴３１１およびスリット３１２が形成された係止部３１と、係止部３１を保持し、接合部３２１を有する保持部３２と、を備えている。穴３１１は、係止部３１を貫通する。スリット３１２は、穴３１１から係止部３１の外側面まで貫通し、かつ、穴３１１の中心軸方向の係止部３１の一方の端面Ｓ１から他方の端面Ｓ２に到る。フックキーパー３は、保持部３２の接合部３２１で魚釣り用リールに装着可能である。
【００２４】
フックキーパー３に、オフセットフックを含む釣り針を係止する場合、釣り針のシャンクまたはベンドをスリット３１２に通して穴３１１の中に押し込んで係止する。スリット３１２は、釣り針のシャンクおよびベンドの太さよりも広い幅で形成されており、穴３１１は、スリット３１２の幅よりも広い直径で形成されている。針先の出ている釣り針を係止する場合には、針先を穴３１１の周縁の係止部３１にひっかけてもよい。
【００２５】
フックキーパー３に、シンカーを係止する場合、釣り糸をスリット３１２に通して穴３１１の中に押し込む。穴３１１は、シンカーの幅よりも狭い直径で形成されており、シンカーは、穴３１１の外に係止される。このとき、穴３１１の直径がシンカーのアイの幅よりも広い場合は、シンカーのアイのみが穴３１１の中に収容される。
【００２６】
図４は、実施の形態１に係るフックキーパーの正面図である。フックキーパー３は、穴３１１の中心軸方向の係止部３１の一方の端面Ｓ１のスリット３１２の中心と他方の端面Ｓ２のスリット３１２の中心とを結ぶ線Ｌが、穴３１１の中心軸Ａに対してねじれの位置にある。このように、穴３１１およびスリット３１２を形成することで、フックキーパー３に係止された釣り針やシンカーが外れにくくなる。
【００２７】
図５は、実施の形態１に係るフックキーパーにオフセットフックを係止した例を示す魚釣用リールの斜視図である。フックキーパー３にオフセットフック４を係止する場合、釣り糸６の先に装着されたオフセットフック４のシャンク４１またはベンド４２をスリット３１２に通し、穴３１１に係止する。スリット３１２は、シャンク４１およびベンド４２の太さよりも広い幅で形成されている。図５の例では、釣り糸６の張力により、オフセットフック４のベンド４２が穴３１１にひっかかって、オフセットフック４が係止されている。
【００２８】
図６は、実施の形態１に係るフックキーパーにシンカーを係止した例を示す魚釣用リールの斜視図である。フックキーパー３にシンカー５を係止する場合、釣り糸６をスリット３１２に通し、シンカー５を穴３１１に係止する。図６の例では、穴３１１の直径がシンカー５のアイ５１の幅よりも広いので、アイ５１のみが穴３１１の中に収容された状態で、シンカー５が係止されている。
【００２９】
図７は、実施の形態１に係る回転可能なフックキーパーを装着した魚釣用リールの斜視図である。フックキーパー３の保持部３２は、係止部３１を、保持部３２に対して穴３１１の中心軸と交わる軸の周りに回転可能に支持してもよい。これにより、ユーザが釣り針や釣り糸をスリット３１２に通しやすい角度にすることができる。また、釣り針やシンカーを係止した状態で、係止部３１を、釣り糸を引っ張る方向に回転させると、釣り糸の張力を大きくすることができるので釣り針やシンカーが外れにくくなる。図７の例では、保持部３２は、係止部３１を、保持部３２に対して穴３１１の中心軸と垂直に交わる軸の周り（図中、矢印Ａの方向）に回転可能に支持しているが、これに限らず、保持部３２は、係止部３１を、保持部３２に対して穴３１１の中心軸と斜めに交わる軸の周りに回転可能に支持してもよい。
【００３０】
図８は、実施の形態１に係るフックキーパーをリールスタンドに装着した魚釣用リールの斜視図である。リール本体１１０は、支持部１１１ｂに装着され支持部１１１ｂから離れる方向に延びる延伸部を有するリールスタンド１１２を備える。フックキーパー３は、保持部３２の接合部３２１で、リールスタンド１１２の延伸部の先端部に装着される。図８の例では、リールスタンド１１２の延伸部は、駆動軸の軸方向にまっすぐ延びているが、これに限らず、リールスタンド１１２の延伸部は、支持部１１１ｂから離れる方向であれば、駆動軸の軸方向に対して斜めに延びていてもよいし、湾曲して延びていてもよい。
【００３１】
図９は、実施の形態１に係るリールスタンドに装着したフックキーパーにシンカーを係止した例を示す魚釣用リールの斜視図である。リールスタンド１１２の延伸部の先端部に装着したフックキーパー３にシンカー５を係止した場合、図６に示した、支持部１１１ｂに装着したフックキーパー３にシンカー５を係止した場合よりも、釣り糸６がリール本体１１０から離れる。軌跡Ｔは、ロータ１４０およびベールアーム１５０が回転したときのベール１５１の軌跡である。
【００３２】
図９に示すように、リールスタンド１１２の延伸部の先端部に装着したフックキーパー３にシンカー５を係止すると、ベール１５１が支持部１１１ｂ側にある状態で止まっていたとしても、釣り糸６とベール１５１とが干渉しない。図９では、リールスタンド１１２の延伸部の先端部に装着したフックキーパー３にシンカー５を係止した場合の例を示したが、オフセットフックを含む釣り針を係止した場合も、同様に釣り糸６とベール１５１とが干渉しない。
【００３３】
リールスタンド１１２の延伸部の先端部に装着したフックキーパー３についても、保持部３２が、係止部３１を、保持部３２に対して穴３１１の中心軸と交わる軸の周りに回転可能に支持してもよい。
【００３４】
実施の形態２．
図１０は、本発明の実施の形態２に係るフックキーパーの斜視図である。実施の形態２では、フックキーパー３を魚釣用リールのハンドルの装着部に装着する。実施の形態２のフックキーパー３は、実施の形態１のフックキーパー３と、主に保持部３２の形状が異なる。
【００３５】
図１０の例では、保持部３２は、ハンドルアームを駆動軸に締結するナットを固定するリテーナーの形状で形成されている。フックキーパー３は、保持部３２の接合部３２１の穴Ｈ１にハンドルアームを駆動軸に締結するナットを嵌合し、穴Ｈ２に固定用ビスを挿通して締め付けることによって、ナットを固定する。実施の形態１と同様に、フックキーパー３は、穴３１１の中心軸方向の係止部３１の一方の端面のスリット３１２の中心と他方の端面のスリット３１２の中心とを結ぶ線が、穴３１１の中心軸に対してねじれの位置にある。
【００３６】
図１１は、実施の形態２に係る魚釣用リールの斜視図である。実施の形態２の魚釣用リールは両軸受けリール２００である。両軸受リール２００は、図１１に向かって左手前側が釣り竿の先端（前方）に向かうように、釣り竿に取り付けられる。両軸受リール２００は、リール本体２１０と、リール本体２１０の側方に配置されたハンドル２２０と、リール本体２１０に回転可能に支持されたスプール２３０と、ハンドル２２０のリール本体２１０側に配置されたドラグ調整用のスタードラグ２４０と、を備える。
【００３７】
リール本体２１０は、ハンドル２２０の回転を受けて、スプール２３０を回転させ、スプール２３０に釣り糸を巻き取る巻回機構を有する。ハンドル２２０は、リール本体２１０に回転可能に支持される駆動軸の一端に装着される。駆動軸は、巻回機構を構成する部材である。ハンドル２２０は、駆動軸の一端に装着される装着部２２１と、装着部２２１から駆動軸に交わる方向に延びるハンドルアーム２２２と、ハンドルアーム２２２の先端部から駆動軸に平行な方向に延びる把手軸に回転可能に装着される一対のハンドル把手２２３ａおよびハンドル把手２２３ｂと、を有する（ハンドル把手２２３ｂは図示せず）。
【００３８】
リール本体２１０の側方には、ハンドル２２０が装着される駆動軸の一端を支持する支持部２１１が形成されている。ハンドル２２０は、支持部２１１が支持する動軸の一端に、装着部２２１で装着される。支持部２１１は、本発明における第２支持部である。フックキーパー３は、装着部２２１にリテーナーとして装着されている。図１１に示すように、フックキーパー３の穴３１１およびスリット３１２は、ハンドルアーム２２２の駆動軸に直交する短手方向の外面よりも外側にある。図１１の例では、フックキーパー３は、ハンドルアーム２２２の外側に装着されているが、これに限らず、ハンドルアーム２２２の内側（リール本体２１０側）に装着されてもよい。
【００３９】
図１２は、実施の形態２に係るフックキーパーにオフセットフックを係止した例を示す魚釣用リールの斜視図である。フックキーパー３にオフセットフック４を係止する場合、釣り糸６の先に装着されたオフセットフック４のシャンク４１またはベンド４２をスリット３１２に通し、ワームがハンドルアーム２２２に沿うように、穴３１１に係止する。スリット３１２は、シャンク４１およびベンド４２の太さよりも広い幅で形成されている。図１２では、フックキーパー３にオフセットフック４を係止した例を示したが、シンカーや針先の出ている釣り針も係止することができる。
【００４０】
図１０〜図１２に記載のフックキーパー３の係止部３１の穴３１１は、中心軸が駆動軸の軸方向と平行に形成されているが、穴３１１の中心軸の方向は、これに限らず、穴３１１の中心軸が駆動軸の軸方向に対して垂直または斜めに形成されていてもよい。また、フックキーパー３の保持部３２の形状は、リテーナーの形状に限らず、例えば円環形状で、ハンドル２２０のリール本体２１０側の装着部２２１に装着されてもよい。この場合も、フックキーパー３は、係止部３１の穴３１１およびスリット３１２が、ハンドルアーム２２２の駆動軸に直交する短手方向の外面よりも外側に出るように装着される。さらに、フックキーパー３の保持部３２が、係止部３１を、保持部３２に対して穴３１１の中心軸と交わる軸の周りに回転可能に支持してもよい。
【００４１】
実施の形態３．
図１３は、本発明の実施の形態３に係るフックキーパーの斜視図である。実施の形態３では、フックキーパー３を魚釣用リールのハンドル把手に装着する。実施の形態３のフックキーパー３は、実施の形態１および２のフックキーパー３と、主に保持部３２の形状が異なる。このため、保持部３２は、ハンドル把手のフックキーパー３を装着する面の形状（略楕円形）に合わせて、係止部３１の幅よりも広い長径の略楕円形の接合部３２１を有する。ハンドル把手のフックキーパー３を装着する面の形状は略楕円形に限らず、例えば、ハンドル把手のフックキーパー３を装着する面の形状が円形であれば、接合部３２１の形状を係止部３１の幅よりも広い直径の円形にするとよい。
【００４２】
図１３の例では、接合部３２１に、軽量化のための空洞Ｃが形成されているが、空洞Ｃはなくてもよい。また、保持部３２は、係止部３１を、保持部３２に対して穴の中心軸と交わる軸の周りに回転可能に支持してもよい。
【００４３】
図１４は、実施の形態３に係る魚釣用リールの斜視図である。実施の形態３の魚釣用リールはスピニングリール１００であってもよいし、両軸受けリール２００であってもよい。図１４では、両軸受リール２００の例を示す。両軸受リール２００の構成は実施の形態２と同様である。ハンドル２２０は、駆動軸の一端に装着される装着部２２１と、装着部２２１から駆動軸に交わる方向に延びるハンドルアーム２２２と、ハンドルアーム２２２の先端部から駆動軸に平行な方向に延びる把手軸に回転可能に装着される一対のハンドル把手２２３ａおよびハンドル把手２２３ｂと、を有する（ハンドル把手２２３ｂは図示せず）。
【００４４】
図１４の例では、フックキーパー３は、ハンドル把手２２３ａに装着されているが、ハンドル把手２２３ｂに装着されてもよいし、ハンドル把手２２３ａおよびハンドル把手２２３ｂの両方に装着されてもよい。図１４に示すように、フックキーパー３は、接合部３２１で、ハンドル把手２２３ａの把手軸に直交する端面に装着される。接合部３２１を、ハンドル把手２２３ａの把手軸に直交する端面の形状（略楕円形）に合わせた形状にすることで、接合強度が高くなる。
【００４５】
図１５は、実施の形態３に係るフックキーパーにシンカーを係止した例を示す魚釣用リールの斜視図である。両軸受リール２００のハンドル把手２２３ａに装着されたフックキーパー３にシンカー５を係止する場合、図１５に示すように、釣り糸６をスリット３１２に通し、シンカー５を穴３１１に係止する。図１５の例では、穴３１１の直径がシンカー５のアイ５１の幅よりも広いので、アイ５１のみが穴３１１の中に収容された状態で、シンカー５が係止される。図１５では、フックキーパー３にシンカー５を係止した例を示したが、オフセットフックを含む釣り針も係止することができる。
【００４６】
実施の形態３のフックキーパー３を実施の形態１で説明したスピニングリール１００のハンドル１２０のハンドル把手１２３に装着した場合、ハンドル把手１２３に装着したフックキーパー３に釣り針やシンカーを係止すると、ベール１５１が支持部１１１ａ側にある状態で止まっていたとしても、釣り糸６とベール１５１とが干渉しない。
【００４７】
上記の実施の形態では、フックキーパー３にオフセットフックを含む釣り針およびシンカーを係止する例について説明したが、フックキーパー３にはシャンクが短い釣り針が付いたルアーを係止することもできる。この場合、釣り糸をスリット３１２に通して穴３１１の中に押し込む。穴３１１は、ルアーの幅よりも狭い直径で形成されており、ルアーは、穴３１１の外に係止される。このとき、穴３１１の直径がルアーのアイの幅よりも広い場合は、ルアーのアイのみが穴３１１の中に収容される。
【００４８】
上記の実施の形態で示したフックキーパー３にオフセットフックを含む釣り針およびシンカーを係止する方法は例であり、どの方法で係止するかはユーザの任意である。
【００４９】
上記の実施の形態では、フックキーパー３の係止部３１のスリット３１２は、釣り針のシャンクおよびベンドの太さよりも広い幅で形成されていると説明したが、フックキーパー３の係止部３１が弾性部材で形成されており、スリット３１２に釣り針のシャンクおよびベンドを押し込むことで釣り針のシャンクおよびベンドがスリット３１２を通過可能な場合は、スリット３１２が釣り針のシャンクおよびベンドの太さ以下の幅で形成されていてもよい。
【符号の説明】
【００５０】
３  フックキーパー
４  オフセットフック
５  シンカー
６  釣り糸
３１  係止部
３２  保持部
４１  シャンク
４２  ベンド
５１  アイ
１００  スピニングリール
１１０  リール本体
１１１ａ，１１１ｂ  支持部
１１２  リールスタンド
１２０  ハンドル
１２１  装着部
１２２  ハンドルアーム
１２３  ハンドル把手
１３０  スプール
１４０  ロータ
１５０  ベールアーム
１５１  ベール
１６０  駆動軸
２００  両軸受リール
２１０  リール本体
２１１  支持部
２２０  ハンドル
２２１  装着部
２２２  ハンドルアーム
２２３ａ，２２３ｂ  ハンドル把手
２３０  スプール
２４０  スタードラグ
３１１  穴
３１２  スリット
３２１  接合部
【図１】
2020010658.tif 000003
【図２】
2020010658.tif 000004
【図３】
2020010658.tif 000005
【図４】
2020010658.tif 000006
【図５】
2020010658.tif 000007
【図６】
2020010658.tif 000008
【図７】
2020010658.tif 000009
【図８】
2020010658.tif 000010
【図９】
2020010658.tif 000011
【図１０】
2020010658.tif 000012
【図１１】
2020010658.tif 000013
【図１２】
2020010658.tif 000014
【図１３】
2020010658.tif 000015
【図１４】
2020010658.tif 000016
【図１５】
2020010658.tif 000017